(57)【要約】【課題】複数のディスプレイを連携させ、一方に全体を表示させながら、他方にその一部を表示させ、ユーザにとって使い易い表示デバイスを提供することを目的とする。【解決手段】表示デバイス６０１に配置された、距離測定装置６０３、距離測定装置６０４、距離測定装置６０５は携帯電話６０２に配置された距離測定装置６０６、距離測定装置６０７までの距離を測定し、得られた距離情報により、距離測定装置６０６、距離測定装置６０７の３次元中での座標を求める。表示デバイス６０１は、距離測定装置６０６、距離測定装置６０７の位置から、表示デバイス６０１へ垂線を下ろした時の対応する位置により指定される矩形領域６０８に表示された画像情報を携帯電話６０２に送信する。また、矩形領域６０８を例えば、縦横３倍にした矩形領域７０８を送信することもできる。【選択図】図７
2005056303.tif 000002
【特許請求の範囲】
【請求項１】
データを記憶する記憶手段と、外部装置との通信を行う通信手段と、前記データを表示する表示手段とを備えた装置における表示方法であって、
前記通信手段を介して受信したデータを前記記憶手段に記憶し、前記記憶手段に記憶しているデータを前記表示手段に表示し、前記表示手段に表示しているデータに基づいて、前記外部装置より前記通信手段を介して送られてくる指示に対応するデータを前記記憶手段より取り出して、前記通信手段を介して前記外部装置へ送信する表示方法。
【請求項２】
データを記憶する記憶手段と、外部装置との通信を行う通信手段と、前記データを表示する表示手段と、ユーザの指示を入力する入力手段とを備えた装置における表示方法であって、
前記通信手段を介して受信したデータを前記記憶手段に記憶し、前記記憶手段に記憶しているデータを前記表示手段に表示し、前記表示手段に表示しているデータに対して、前記ユーザが拡大縮小、または上下左右のスクロールの指示を前記入力手段より入力し、前記指示を前記通信手段を介して前記外部装置に送信し、前記外部装置より送られてきたデータを前記通信手段を介して受信して、前記表示手段へ表示することを特徴とする表示方法。
【請求項３】
請求項１または／かつ請求項２記載の表示方法を備えた電子ペーパ、携帯情報端末、携帯電話、電話器、テレビ、またはパーソナルコンピュータ。
【請求項４】
外部装置との相対位置を計測し、前記相対位置に基づいて、前記記憶手段よりデータを取り出して、前記通信手段を介して前記外部装置へ送信することを特徴とする請求項１記載の表示方法。
【請求項５】
拡大縮小または上下左右のスクロール指示を外部装置に対して装置を移動させることによって行い、前記外部装置より送られてきた前記指示に対するデータを前記通信手段を介して受信して、前記表示手段へ表示することを特徴とする請求項２記載の表示方法。
【請求項６】
請求項３または／かつ請求項４記載の表示方法を備えた電子ペーパ、携帯情報端末、携帯電話、電話器、テレビ、またはパーソナルコンピュータ。
【請求項７】
請求項１記載の表示方法を備えた装置と請求項２記載の表示方法を備えた装置とから成る表示システム、もしくは請求項３記載の表示方法を備えた装置と請求項４記載の表示方法を備えた装置とから成る表示システム。
【発明の詳細な説明】
【技術分野】
【０００１】
本発明は、電子データを表示する表示方法に関するものであって、複数の表示装置間での情報を適切に関連させることで、使い易く、また、直感的な操作が可能な表示方法を提供するものである。また、このような表示方法を備えた各種電子機器に関するものである。
【背景技術】
【０００２】
表示装置として、電子ペーパの実用化が近づいてきている（例えば、非特許文献１参照）。
【０００３】
当面は、応答速度の遅さやカラー化の課題が残ったままになる可能性が高いが、電子ペーパに表示されるデータは電子データであるので、拡大、スクロールなどを行えば、より高解像度のデータを表示できる（例えば、非特許文献２参照）。
【非特許文献１】Chen, Y. et al., "Flexible active-matrix electronic ink display."、Nature、 2003、No.423、pp.136
【非特許文献２】GEOPHOENIX，"Try GeoPhoenix ZoominatorTM technology in the new SONY CLIETM"、[online]、［平成15年7月8日検索］、インターネット<URL:http://www.geophoenix.com/index.htm>
【発明の開示】
【発明が解決しようとする課題】
【０００４】
しかしながら、前記従来の方法では、表示装置の性能のため、スクロールなどが遅く、実用に適さない。また、電子ペーパ側で、内容を確認できるほどの解像度で表示した場合には、全体を表示できない場合が生じる。この場合、ユーザは、スクロールや拡大・縮小を繁雑に行なうことで、内容を確認することができるが、電子ペーパの応答速度の遅さのため、使い難いものとなってしまう。
【課題を解決するための手段】
【０００５】
上記課題を解決するために本発明は、通信手段を介して受信したデータを記憶手段に記憶し、記憶手段に記憶しているデータを表示手段に表示し、表示手段に表示しているデータに基づいて、外部装置より通信手段を介して送られてくる指示に対応するデータを記憶手段より取り出して、通信手段を介して前記外部装置へ送信する。
【０００６】
なお、外部装置との相対位置を計測し、相対位置に基づいて、記憶手段よりデータを取り出して、通信手段を介して外部装置へ送信してもよい。
【０００７】
また、データを記憶する記憶手段と、外部装置との通信を行う通信手段と、前記データを表示する表示手段と、ユーザの指示を入力する入力手段とを備えた装置における表示方法であって、前記通信手段を介して受信したデータを前記記憶手段に記憶し、前記記憶手段に記憶しているデータを前記表示手段に表示し、前記表示手段に表示しているデータに対して、前記ユーザが拡大縮小、または上下左右のスクロールの指示を前記入力手段より入力し、前記指示を前記通信手段を介して前記外部装置に送信し、前記外部装置より送られてきたデータを前記通信手段を介して受信して、前記表示手段へ表示する。
【０００８】
なお、拡大縮小または上下左右のスクロール指示を外部装置に対して装置を移動させることによって行い、外部装置より送られてきた指示に対するデータを通信手段を介して受信して、表示手段へ表示してもよい。
【発明の効果】
【０００９】
本発明によれば、指示された領域のデータを送信することができる。
【００１０】
また、ユーザの操作により特定された領域情報を指示として伝送し、また、この指示に対する返答として送信されるデータを受信して表示することができる。このようにして、一方の表示側に全体を表示しながら、他方の表示側では部分を表示することができ、より使いやすい表示装置を提供することができる。また、一方と他方の表示装置の能力が異なる場合には、能力不足を補うことができる。たとえば、一方の表示応答速度が遅い場合や白黒表示にしか対応していない場合など、では、他方に表示応答速度が速いもの、またはカラー表示できるもの、を用いることで、一方で表示できない動画やカラー画像を表示することができる。
【００１１】
また、表示装置同士の位置を計測し、この位置情報により拡大縮小率、スクロールに関する情報を入力するようにすることで、より使い易い表示装置を提供することができる。しかも、適当に構成することで、拡大鏡のように機能させることができ、老人にとって読み易い表示デバイス(特に電子ブック)を提供することができる。
【発明を実施するための最良の形態】
【００１２】
（実施の形態１）
図１は本発明の請求項１に記載の表示方法を実現する装置の構成を示すブロック図である。
【００１３】
図１において、通信手段１０１は、電波、赤外線などを利用して外部の装置と通信するものであり、ＷｉｒｅｌｅｓｓＬＡＮの標準規格であるＩＥＥＥ８０２．１１やＷｉｒｅｌｅｓｓＰＡの標準規格であるＩＥＥＥ８０２．１５などがある。また、標準化作業が進行中のＵＷＢ(ウルトラワイドバンド)を利用したＩＥＥＥ８０２．１５．３ａや、標準規格以外の微弱電波を利用したもの、などでもよい。また、本通信手段は、ケーブルレスの通信手段を必須要素として備えたものであるが、任意の付加要素として、ケーブルによる通信手段を追加するようにしてもよい。これは、コネクタによりケーブルを接続するものや、本方法を備えた装置を設置するためのクレードルなどであってもよい。ディスプレイ１０２は、液晶、有機ＥＬ、ブラウン管、電子ペーパなどにより実現されたものであり、記憶手段１０３は、ディスプレイ１０２に表示すべきデータを記憶するためのものである。なお、この記憶手段１０３に記憶すべきデータは、例えば、通信手段１０１により受信されたデータを後述する制御手段１０４を経由して、記憶される。また、任意の付加要素として、メモリカードなどを装着可能なスロットを用意し、メモリカードの内容を記憶手段１０３へとコピーするようにしてもよい。制御手段１０４は、記憶手段１０３に記憶されたデータを読み出し、ディスプレイ１０２に表示する。また、通信手段１０１により受信されたデータを記憶手段１０３に記憶する。さらに、通信手段１０１を経由して外部から送られてくる指示に基づき、記憶手段１０３に記憶されたデータの一部を取り出してこのデータの一部を、通信手段１０１を経由して外部へと送出する。この時の制御手段１０４の処理フローチャートを図２に示す。
【００１４】
まず、通信手段１０１を経由して外部の装置からの要求を受け、要求がデータ構造の要求であるかを調べる（図２のステップ２００）。ここでデータ構造とは、表示すべきデータの構造であって、例えば、電子ブックの表示データであれば、テキストや図面などのレイアウト情報を構造として表現したものである。レイアウト情報を構造として表現した例としては、ＨＴＭＬ（Ｈｙｐｅｒ Ｔｅｘｔ Ｍａｒｋｕｐ Ｌａｎｇｕａｇｅ）がある。ＨＴＭＬの表現能力の一つとして、フレームごとに分離して内容を表示する機能があるが、このフレームごとの分離は、ＨＴＭＬ言語が定義するタグにより行われ、フレームの場合には、＜ｆｒａｍｅｓｅｔ＞，＜ｆｒａｍｅ＞などのタグが用いられる。また、図面を指定する場合には＜ｉｍｇ＞タグが用いられる。よって、ＨＴＭＬの場合であれば、制御手段１０４は、データ構造として、ＨＴＭＬそのものを送るようにしてもよい。また、ＨＴＭＬ中から、テキストデータの部分を除き、その部分に入る文字数、縦文字数、横文字数を送るようにしてもよい。文字数を送るには、除いたテキストデータの替わりに、ＨＴＭＬ言語でのコメントを表す＜ｃｏｍｍｅｎｔ＞タグなどを用いればよい。また、表示データが画像データの場合には、その画像の縦画素数、横画素数を送るようにしてもよい。
【００１５】
なお、画素数などの情報は、＜ｉｍｇ＞タグにて表現可能である。また、レイアウト情報を構造として表現した場合として、一般に仕様が公開されているわけではないが、Ａｄｏｂｅ社のＡｃｒｏｂａｔ（Ａｄｏｂｅ社の登録商標）やＭｉｃｒｏｓｏｆｔ社のＷｏｒｄ（Ｍｉｃｒｏｓｏｆｔ社の登録商標）などを用いるようにしてもよい。
【００１６】
制御手段１０４は、通信手段１０１を介して、データ構造の要求を受信すると（図２のステップ２０１）、記憶手段１０３に保持されたデータから抽出し、このデータ構造を外部の装置へと送信する(同図ステップ２０２)。
【００１７】
以上のステップ２０１とステップ２０２からなるフローは、データ構造の要求を受信した場合に実行される処理である。次に、別の要求を受信した場合のフローについて説明する。
【００１８】
まず、外部の装置から送られる指示を受信する（ステップ２０３）。ここで、指示とは、図２のステップ２０２にて送信したデータ構造の一部を指定するための情報であって例えば、ＨＴＭＬの場合であれば、＜ｆｒａｍｅ＞や＜ｉｍｇ＞で指定されたタグである。また、画像データの場合であれば、画像の一部を指定するための、位置情報などであって、矩形であれば、左上と右下の位置を、例えば、画像全体の左上を原点とした場合の座標として、指示を表す情報を表現することができる。また、この指示において画像データの解像度を指定するようにしてもよい。この解像度情報は、解像度変換が必要な場合に使用される。
【００１９】
ステップ２０４では、ステップ２０３にて受信した指示に基づき、記憶手段１０３が記憶するデータから部分データを抽出する。これは、例えばＨＴＭＬの場合であれば、受信したデータはタグであって、このタグにより部分を特定する。そして、この特定された部分のデータを抽出する。また、画像データの場合の指示は、座標情報であるので、この座標情報に基づき、画像データの一部を抽出する。矩形の場合であれば、指示にて指定された座標に基づき、一部を抽出する。なお、指示において解像度が指定されている場合には、解像度変換を施して、データを抽出する。ステップ２０５では、ステップ２０４にて抽出したデータを、ステップ２０３で受信した指示を送出した外部の装置へと送信する。
【００２０】
このように、ステップ２０３から始まりステップ２０５で終わるフローは、指示を受信した場合に行われる処理である。制御手段１０４は、要求を受信する度に、要求の内容に応じて図２のステップ２０１、ステップ２０２のフローとステップ２０３からステップ２０５のフローとを、選択的に実行する。
【００２１】
なお、ステップ２０４にて抽出した部分データに対応する領域を、ディスプレイ１０２に表示するようにしてもよい。このためには、例えば画像データの場合であれば座標情報により特定できる矩形領域を、ディスプレイ１０２に表示するようにすればよい。
【００２２】
（実施の形態２）
図３は本発明の実施の形態２の表示方法を実現する装置の構成を示すブロック図である。本実施の形態の表示方法は、実施の形態１における表示方法と対にして使用するものであり、本発明の請求項２に対応する。図１１に本発明の実施の形態１の表示方法を実現する機器Ａと実施の形態２の表示方法を実現する機器Ｂの関係を示す。図１１に示すように、機器Ａ、機器Ｂは互いに通信しながら所望のデータを取得し表示する。
【００２３】
図３において、図１と同じ構成要素に対しては、同じ符号を付与し、説明を省略する。図３において、制御手段１０４は記憶手段１０３に記憶されたデータを読み出し、ディスプレイ１０２に表示し、通信手段１０１により受信されたデータを記憶手段１０３に記憶する。さらに、通信手段１０１を経由して外部から送られてくる指示や、入力手段３０５より入力される指示に基づき、記憶手段１０３に記憶されたデータの一部を取り出してこのデータの一部を、通信手段１０１を経由して外部へと送出する。入力手段３０５はユーザにより表示されたデータの拡大縮小などの操作情報が入力される。
【００２４】
図４は制御手段１０４の動作を示すフローチャートである。
【００２５】
まず、機器Ｂの制御手段１０４は機器Ａに対して、データ構造の要求を送信する（図４のステップ４０１）。データ構造とは、実施の形態１にて説明したものであり、制御手段１０４は、データ構造の要求を通信手段１０１を経由して、機器Ａへと送信する。機器Ａにおいて、通信手段１０１が機器Ｂよりデータ構造の要求を受信すると、制御手段１０４は、フローチャート図２のステップ２０１、ステップ２０２の処理を行い、データ構造を機器Ｂへ送信する。制御手段１０４は、機器Ａより送信されたデータ構造を、通信手段１０１を介して、受信する（図４のステップ４０２）。次に、制御手段１０４は、実施の形態１における図２のステップ２０３に対応する指示を送信する（図４のステップ４０３）。ここで指示とは、ステップ２０３にて説明したものであるが、ここでの指示は、一部分ではなく、データ全体を指定するものとする。
【００２６】
なお、ここで、機器Ａと機器Ｂとの解像度が異なる場合には、機器Ｂが表示可能な解像度を指定するようにしてもよい。例えば、機器Ａがパソコンで、解像度が１０２４×７６８画素であるのに対し、機器Ｂが携帯電話であり１００×８０画素程度の解像度しか無い場合には１／１０の解像度を指定するようにすればよい。
【００２７】
そして、この指示を受信した機器Ａは、図２のステップ２０３からステップ２０５までの処理を行い、抽出したデータ、この場合は、表示すべきデータの全体であって、必要に応じて解像度変換を施したものを機器Ｂに送信する。機器Ｂは機器Ａより送信されたデータを、受信し、表示する（ステップ４０４）。すなわち、制御手段１０４は通信手段１０１にて受信したデータを記憶手段１０３に記憶するとともに、ディスプレイ１０２に出力する。次に、制御手段１０４は、ユーザの入力を取り込む（図４のステップ４０５）。すなわち、入力手段３０５にて、ディスプレイ１０２に表示されたデータに対するユーザの拡大／縮小操作を取り込む。この操作により、例えば、拡大率２倍がユーザにより指定され、図５に示すように、全体５０１に対し５０２に示す矩形領域を表示する操作が行われた、と解釈するようにした場合、制御手段１０４は、矩形領域５０２に対応する座標情報からなる指示を生成し、これを機器Ａに送信する(図４のステップ４０６)。
【００２８】
この指示を受信した機器Ａは、図２のステップ２０３からステップ２０５の処理を行い、指定されたデータを抽出し、データを送信する。機器Ｂの制御手段１０４は送信されたデータを通信手段１０１を介して受信し、記憶手段１０３に保持すると共に、ディスプレイ１０２に出力する（図４のステップ４０７）。
【００２９】
制御手段１０４は、ステップ４０５から４０７までの処理を繰り返すことにより、ユーザの拡大／縮小操作に対応したデータをディスプレイ１０２に表示することができる。また、制御手段１０４は、ステップ４０５でのユーザの入力として、スクロール操作を処理するようにしてもよい。すなわち、図５に示すように、上下左右の入力操作に応じて、矩形領域５０２の位置を移動させるようなスクロール操作を取り込み(図４のステップ４０５)、この操作から求まる矩形領域５０２の位置に応じた指示を生成して機器Ａに送信し(図４のステップ４０６)、スクロール後の画像データを機器Ａより受信してこれを表示するようにしてもよい（図４のステップ４０７）。
【００３０】
ここで、スクロール操作を入力する手段として、加速度センサを用い、機器Ｂの移動量を計測して、これをスクロール操作量としてもよい。
【００３１】
なお、機器Ａから機器Ｂへと伝送されるデータであるが、以前に伝送したデータとの違いの部分だけを伝送するようにしてもよい。この場合には、画像データの場合であれば、階層画像、ピラミッド画像などの手法を利用するようにすればよい。
【００３２】
このようにして、例えば、機器Ａを電子ペーパ、機器Ｂを携帯電話とした場合、電子ペーパ側に全体を表示し、携帯電話側にて拡大部分を表示することで、同時に全体と拡大部分とを見ることができるため、ユーザにとって使い易い表示装置を提供することができる。また、携帯電話のＬＣＤの応答速度は、電子ペーパのそれより速いので、スクロールを繁雑に行っても、十分な速度で応答し、電子ペーパの応答速度の遅さを補うことができる。
【００３３】
また、携帯電話のＬＣＤはカラーであるので、機器Ｂにおいて図４のステップ４０６で生成される指示において、カラー画像データに対しては、カラー画像を送信するように指示してもよい。このようにすることで、機器Ａである電子ペーパでは白黒もしくはグレイスケールの画像であったものを、機器Ｂである携帯電話では、カラー画像として表示することができる。さらに、カラー画像の部分が動画である場合には、電子ペーパの方でのフレームレートよりもより高いフレームレートでの表示を携帯電話側で行うこともできる。なお、以上は、請求項３に対応する。
【００３４】
（実施の形態３）
本実施の形態では、実施の形態２における機器Ａと機器Ｂの関係を通常の紙と拡大鏡の関係としてとらえ、機器Ｂの機器Ａに対する電子拡大鏡のような機能を提供する方法について説明する。
【００３５】
図６は、本実施の形態の表示方法を実現する機器の構成を示す図である。本実施の形態は、請求項４、請求項５に対応するものである。
【００３６】
図６において、表示デバイス６０１は、例えば、電子ペーパなどであり、表示デバイス６０２は、例として、携帯電話とする。また、これら表示デバイス６０１、６０２は図１もしくは図２に示すような手段を備えるものとする。表示デバイス６０１は、携帯電話６０２との距離を測定するために、表示デバイス６０１の角などに距離測定用の装置を備える。図では、例として、左上、右上、中央下の三個所に距離測定装置６０３、距離測定装置６０４、距離測定装置６０５を配置している。このような装置としては、短距離での距離測定が可能なもの、として赤外線や電波などが考えられ、例えば、ＵＷＢなどが適当である。また、携帯電話６０２にも、同様の距離測定装置６０６を、例えば、携帯電話６０２のＬＣＤの左上に配置する。そして、距離測定装置６０３、距離測定装置６０４、距離測定装置６０５が順に、距離測定用電波を発射し、これを受信した距離測定装置６０６が応答を返すことで、距離測定装置６０３、距離測定装置６０４、距離測定装置６０５は距離測定装置６０６までの距離を得ることができる。この３つの距離情報を用いれば、距離測定装置６０６の３次元中での座標位置を求めることができる。周知のとおり、座標位置の未知変数の数は３であり、また、各距離情報ごとに一つの方程式を立てることができるので、連立させて解くことができる。
【００３７】
なお、この連立方程式が解けるためには、距離測定装置６０３、距離測定装置６０４、距離測定装置６０５の位置が一直線上に並ばないようにする必要がある。
【００３８】
また、距離測定装置６０６、距離測定装置６０７は、距離測定装置６０３などとまったく同様である必要はなく、距離測定装置６０３の要求に応えるだけの機能だけを持つようなものでもよい。
【００３９】
また、上記の説明、及び、以降の説明において、距離測定装置が電波を発射するように記載しているが、これに限定されるわけではなく、距離測定装置であれば、どのような方式を用いるものであってもよい。また、もちろん、赤外線を用いる距離測定装置であってもよい。
【００４０】
また、携帯電話６０２は、もう一つの距離測定装置６０７を、例えば、液晶の右下に配置し、上述と同じ処理を行うことにより、距離測定装置６０３、距離測定装置６０４、距離測定装置６０５は距離測定装置６０７までの距離を得ることができる。このようにして得られた距離情報により、上述と同様にして、距離測定装置６０７の３次元中での座標を求めることができる。そして、距離測定装置６０６、距離測定装置６０７の位置から、表示デバイス６０１へ垂線を下ろした時の対応する位置により指定される矩形領域６０８に表示された画像情報を携帯電話６０２に送信する。また、例えば、図７に示すように、矩形領域６０８を縦横３倍にした矩形領域７０８を携帯電話６０２に送信するようにしてもよい。この時の縮小率（１／９）は、携帯電話６０２から指定するようにすればよい。もちろん、縮小ではなく拡大するようにしてもよい。
【００４１】
なお、表示デバイス６０１と表示デバイス６０２とで、解像度が異なる場合があるが、この場合には、適当な解像度変換を施すものとする。このために、両表示デバイス間で、解像度情報、表示デバイスの縦横画素数などを交換するようにしてもよい。
【００４２】
以上の動作をする表示デバイス６０１の制御手段のフローチャートを図８に示す。まず、距離測定装置６０７、距離測定装置６０８の３次元位置を測定する（図８のステップ８０１、ステップ８０２）。次に、携帯電話６０２からの拡大縮小率の情報を受信する（ステップ８０３）。次に、距離測定装置の３次元位置と拡大縮小率とに基づき、矩形領域６０８、もしくは拡大縮小した矩形領域７０８などを算出する。そして、算出した矩形領域に対応する画像データを送信する（ステップ８０５）。
【００４３】
また、表示デバイス６０２の制御手段のフローチャートは、図４のステップ４０５からステップ４０７を繰り返し実行するものである。ここで、ステップ４０５でのユーザの入力は、拡大縮小操作のみ、で良い。
【００４４】
ところで、距離測定装置６０７、距離測定装置６０８の３次元座標の情報のうち、紙面に垂直な方向(以下、Ｚ軸方向と呼ぶ)の情報は使用されていないので、これを利用して、拡大縮小操作を入力するようにしてもよい。この場合、表示デバイス６０２でのフローチャートは、図４のステップ４０７だけでよい。この場合、表示デバイス６０１での図８のフローチャート中のステップ８０３での拡大縮小率の受信の替わりに、Ｚ軸方向の距離を用いて拡大縮小率を計算するようにすればよい。これは、例えば、開始時の位置から、表示デバイス６０２により近づいた場合に拡大、遠ざかる時に縮小などとすればよい。
【００４５】
以上のように、表示デバイス６０１と表示デバイス６０２とを用いることにより、表示デバイス６０１に表示された情報の一部を表示デバイス６０２に表示でき、さらに、その表示を必要に応じて拡大縮小させることができる。しかも、その表示位置の指定は、表示デバイス６０２を移動させることで実現でき、これはあたかも、表示デバイス６０２が拡大鏡であるかのように振舞うことができる。そして、拡大鏡の移動により指定した矩形領域に表示されているものが、カラー画像や動画の情報である場合には、本実施の形態にて説明した通り、表示デバイス６０１にて白黒／低フレームレートで表示されていたものを、表示デバイス６０２（携帯電話）にてカラー／高フレームレートで表示できる。
【００４６】
なお、この電子拡大鏡は、通常の光学的拡大鏡とは異なり、表示ディスプレイと電子拡大鏡との位置関係に拘らず、電波などでの通信さえできれば、拡大操作などができる。そこで、ＴＶ画面の一部を拡大して携帯電話に表示するような用途にも使え、これにより、ＴＶ画面に表示されたＥＰＧ情報の細かい文字を、離れた場所から読み難い方でも容易に視認できる機能を提供できる。また、ビデオデッキなどの家電製品の液晶表示部分に表示された情報を携帯電話側に表示させることで、離れた場所からの液晶表示の確認や、障害物に隠れて表示が確認できない場合での視認、などを可能にすることができる。以上は、請求項６に対応する。
【００４７】
また、機器Ａを携帯電話、機器ＢをＴＶとして、携帯電話の電子メールなどの文字情報を、表示領域の広いＴＶ側で表示できるようにしてもよい。この場合、説明した実施の形態では、ＴＶ側で操作することになるが、実施の形態１の表示方法を実現する機器Ａに入力手段を追加し、この入力操作を機器Ｂに送信する機能を制御手段に追加することで、携帯電話側でスクロールなどを制御できるようにすることもできる。もしくは、携帯電話側で入力操作を処理し、必要な部分データを抽出するようにしても良い。この場合、図２のフローチャートのステップ２０３、ステップ２０４の部分を、それぞれ、"入力の取込"、"入力に基づき部分データを抽出"、するようにすればよい。
【００４８】
ところで、本実施の形態で説明した方法によれば、ある表示デバイスに表示された内容を、別の表示デバイスへと、複写することができる。これは、表示されている内容の位置や拡大率などを適当に調整した後、別の表示デバイス側でボタンクリックなどした場合に、その時の表示内容を記憶手段に保持するようにすることで、可能となる。このようにすることで、ユーザにとっては、従来の大型コピー機などを使わずとも、その場で、非接触、しかも直感的に表示内容をコピーでき、使い易い表示デバイスを提供することができる。この場合、両方の表示デバイスとしては、電子ペーパが適当であるが、その他の場合として、電子ペーパとＴＶであってもよい。このようにすることで、ＴＶのワンシーンを電子ペーパに記録することができる。さらに、携帯電話とＴＶとで、ＴＶのワンシーンを記録するようにしてもよい。この場合に、携帯電話は、矩形領域のみの記録ではなく、ＴＶに写された画像の全領域について、ＴＶでの解像度と同じ解像度での情報を受信して、これを記録するようにしてもよい。このようにすると、友達などと話をする場合に、携帯電話よりも高解像度の表示デバイスがあれば、携帯電話側からこの表示デバイスへと、本方法を用いて記録した画像を伝送することで、ワンシーンを見ながら会話を楽しむことができるようになる。また、記憶容量が許せば、ワンシーンだけでなく、動画の一部を記録するようにしてもよい。
【００４９】
なお、ＴＶの場合には、時々刻々、その表示内容が変化するので、変化するごとに、その内容を携帯電話側に伝送するようにしてもよい。さらに、伝送先として、携帯電話ではなく、携帯型の液晶ディスプレイを用いると、液晶ディスプレイの表示面があたかも透けて、その後ろにあるＴＶの表示内容が見えているかのようになる。すなわち、液晶ディスプレイが透明シートのように振舞うことになり、使い易く、直感的な操作が可能な表示デバイスを提供することができる。
【００５０】
また、本方法は、パソコンと電子ペーパとで、パソコンに表示された情報を電子ペーパに複写する場合などにも使用でき、あたかも、プリンタ無しで印刷できるような機能を提供することができる。しかも、表示された情報が一部だけの場合に、その情報の全体を記録するようにしてもよい。例えば、表示された情報が、あるＵＲＬのＷＥＢページの情報である場合に、表示された情報だけではなく、そのＵＲＬで指定されたデータ(ＨＴＭＬファイル)を記録するようにすればよい。この場合は、このＨＴＭＬファイルがタグで指定している画像ファイルなども同時に記録する必要がある。また、このＨＴＭＬファイルから直接飛べるＵＲＬも保存するようにしてもよい。
【００５１】
なお、このように記録されたＨＴＭＬファイルの情報は、電子ペーパ側では一部しか表示できない。複写した時の表示情報以外の情報を表示できるようにするため、電子ペーパに入力手段を追加し、ページ送り操作などを指示できるようにしてもよい。
【００５２】
このように、電子ペーパと電子機器とを連携させることで、従来の紙での複写や印刷などの操作をコピー機やプリンタなどを使うことなく、行える環境を提供することができる。この他に、似た場合として、ＦＡＸの場合に本方法を用いるようにしてもよい。すなわち、図９のように携帯電話９０１にて受信したＦＡＸの画像情報の一部を、携帯電話の画面９０２に表示させこの携帯電話の上に電子ペーパ９０３を重ねる。つまり、図６の場合と逆であって、携帯電話９０１を実施の形態３で説明した表示デバイス６０１、電子ペーパ９０３を表示デバイス６０２とすることで携帯電話の画面９０２に表示された、ＦＡＸ画像情報の一部を、電子ペーパに表示することができる。さらに、この場合に、携帯電話９０１と電子ペーパ９０３の間にてディスプレイの縦横画素数の情報を交換しあい、電子ペーパ９０３の方が画素数が多い場合には、画面９０２に表示されたＦＡＸ画像の近傍の画像を電子ペーパ９０３へと送信し、電子ペーパ９０３はこれを表示するようにしてもよい。このようにすることで、電子ペーパ９０３の表示領域全面に、ＦＡＸ画像を表示することができる。しかし、電子ペーパ９０３の大きさが、受信したＦＡＸ画像よりも小さい場合には、未だ、ＦＡＸ画像のうち表示されていない部分が残っている。しかし、本方法では、次のようにして、この部分を表示することができる。電子ペーパ９０３を上下左右にずらすと、携帯電話９０１が電子ペーパ９０３の位置を測定し、図１０のように、新しい位置でのＦＡＸ画像の一部を送信する。そして、このＦＡＸ画像の一部を電子ペーパ９０３が受信してその全面に表示する。これを所望の場所ごとに行うことで、結果として、ＦＡＸ画像の全体１００４を確認することができる。
【００５３】
この他にも、ＦＡＸ画像全体を携帯電話９０１から電子ペーパ９０３へと送信し、電子ペーパ側の入力手段により、ページ送りなどを指示して表示するようにしてもよい。
【００５４】
なお、以上の説明において、拡大された画像を表示する側の装置として携帯電話を例として説明したが、携帯電話以外に携帯情報端末やノートパソコン、また、場合によっては電子ペーパなどを用いるようにしてもよい。
【００５５】
また、表示デバイスとして、ＨＭＤ(ヘッドマウントディスプレイ)を用いるようにしてもよい。
【産業上の利用可能性】
【００５６】
電子データを表示する表示方法に関するものであって、複数の表示装置間での情報を適切に関連させることで、使い易く、また、直感的な操作が可能な表示方法を提供するものとして有用であって、特に、各種携帯情報端末(電子ペーパ、ケータイ、ＰＤＡなど)同士、携帯情報端末と家庭内電子機器(ＴＶ、コンピュータなど)との連携に適している。
【図面の簡単な説明】
【００５７】
【図１】本発明の実施の形態１における表示方法を実現する機器の構成を示すブロック図
【図２】同表示方法を説明するフローチャート
【図３】本発明の実施の形態２における表示方法を実現する機器の構成を示すブロック図
【図４】同表示方法を説明するフローチャート
【図５】同表示例を説明するための図
【図６】本発明の実施の形態３における表示方法を実現する機器の構成を示すブロック図
【図７】同他の表示方法を説明する図
【図８】同表示方法を説明するためのフローチャート
【図９】同他の表示方法を説明するための図
【図１０】同他の表示方法を説明するための図
【図１１】本発明の実施の形態１の表示方法と実現する機器と実施の形態２を実現する機器との関係を示すブロック図
【符号の説明】
【００５８】
１０１  通信手段
１０２  ディスプレイ
１０３  記憶手段
１０４、３０４  制御手段
３０５  入力手段
【図１】
2005056303.tif 000003
【図２】
2005056303.tif 000004
【図３】
2005056303.tif 000005
【図４】
2005056303.tif 000006
【図５】
2005056303.tif 000007
【図６】
2005056303.tif 000008
【図７】
2005056303.tif 000009
【図８】
2005056303.tif 000010
【図９】
2005056303.tif 000011
【図１０】
2005056303.tif 000012
【図１１】
2005056303.tif 000013